(57)【要約】【課題】被写体ごとのベストショット画像を撮影すること。【解決手段】制御装置１０４は、使用者による被写体の人数の入力を受け付けて被写体人数を特定し、記憶媒体の空き容量と被写体人数とに基づいて、各被写体ごとの画像ファイルの記録割り当て枚数を算出する。制御装置１０４は、撮像素子１０３から入力されるスルー画の画像内に含まれる被写体の表情を評価して表情評価値を算出し、複数の被写体の表情評価値のうち、所定の閾値以上であって、かつ最大の表情評価値が算出された被写体に対してピントおよび明るさを調整したベストショット画像を撮影する。そして、制御装置１０４は、各被写体ごとにベストショット画像の撮影枚数が１人当たりの記録割り当て枚数に到達したか否かを判断し、到達したと判断した被写体がいる場合には、その被写体を対象としたベストショット画像の撮影を停止する。【選択図】図１
2009260868.tif 000002
【特許請求の範囲】
【請求項１】
使用者による被写体の人数の入力を受け付けて被写体人数を特定し、記憶媒体の空き容量と前記被写体人数とに基づいて、各被写体ごとの画像ファイルの記録割り当て枚数を算出する割り当て枚数算出手段と、
撮像手段により時系列で取得される画像データの画像内に含まれる被写体の表情を評価して表情評価値を算出する表情評価値算出手段と、
前記表情評価値算出手段によって算出される複数の被写体の表情評価値のうち、所定の閾値以上であって、かつ最大の表情評価値を対象評価値として特定し、前記対象評価値が算出された被写体に対してピントおよび明るさを調整したベストショット画像を撮影するベストショット画像撮影手段と、
各被写体ごとに前記ベストショット画像の撮影枚数が前記記録割り当て枚数に到達したか否かを判断する判断手段と、
前記判断手段で前記ベストショット画像の撮影枚数が前記記録割り当て枚数に到達したと判断した被写体がいる場合には、その被写体を対象とした前記ベストショット画像の撮影を停止する撮影可否判定手段とを備えることを特徴とするカメラ。
【請求項２】
請求項１に記載のカメラおいて、
前記ベストショット画像撮影手段は、前記撮影可否判定手段によって前記ベストショット画像の撮影が停止された被写体を除いた被写体を対象として、前記表情評価値が所定の閾値以上であって、かつ最大の表情評価値を対象評価値として特定し、前記対象評価値が算出された被写体を対象として前記ベストショット画像を撮影することを特徴とするカメラ。
【請求項３】
請求項１または２に記載のカメラにおいて、
前記記憶媒体内に前記被写体人数分のフォルダを作成するフォルダ作成手段と、
前記ベストショット画像撮影手段で撮影された前記ベストショット画像の対象被写体を特定する被写体特定手段と、
各被写体ごとに前記フォルダを対応付け、前記被写体特定手段による特定結果に基づいて、前記ベストショット画像撮影手段で撮影された前記ベストショット画像の画像ファイルを、各被写体ごとのフォルダに分類して記録する分類手段とをさらに備えることを特徴とするカメラ。
【請求項４】
請求項１〜３のいずれか一項に記載のカメラにおいて、
前記撮影可否判定手段は、前記判断手段で前記ベストショット画像の撮影枚数が前記記録割り当て枚数に到達したと判断した被写体がいる場合に、前記表情評価値算出手段で算出されたその被写体の前記表情評価値が最高値であって、かつその被写体の撮影済みのベストショット画像の中に、前記表情評価値が最高値のときに撮影されたものがないときには、その被写体を対象とした前記ベストショット画像の撮影を許可することを特徴とするカメラ。
【請求項５】
請求項１〜４のいずれか一項に記載のカメラにおいて、
使用者によって前記撮像素子による画像データの取得の停止が指示されたときに、前記ベストショット画像が１枚も撮影されていない被写体がいる場合には、使用者に対してその旨を通知する通知手段をさらに備えることを特徴とするカメラ。
【請求項６】
請求項１〜５のいずれか一項に記載のカメラにおいて、
前記割り当て枚数算出手段は、各被写体ごとの画像ファイルの記録割り当て枚数が均等になるように割り当て枚数を算出することを特徴とするカメラ。
【発明の詳細な説明】
【技術分野】
【０００１】
本発明は、カメラに関する。
【背景技術】
【０００２】
次のような画像合成装置が知られている。この画像合成装置は、複数コマの画像データを取得し、取得した各コマの画像データに対して被写体の表情評価値を算出する。そして、複数コマの画像データの中から被写体の表情評価値が高いものを特定して、その画像データの顔画像部分と、顔画像部分を除く背景画像部分とを合成して、１コマの合成被写体像を生成する（例えば、特許文献１）。
【０００３】
【特許文献１】特開２００７−２９９２９７号公報
【発明の開示】
【発明が解決しようとする課題】
【０００４】
しかしながら、被写体によって表情評価値が高く算出される傾向のある人と低く算出される傾向のある人との差がある。このため、従来の装置によれば、表情評価値が高く算出される傾向にある被写体の画像が多く生成され、表情評価値が低く算出される傾向にある被写体の画像はあまり生成されなくなり、被写体ごとの画像枚数に大きな差が生じてしまう。
【課題を解決するための手段】
【０００５】
本発明によるカメラは、使用者による被写体の人数の入力を受け付けて被写体人数を特定し、記憶媒体の空き容量と被写体人数とに基づいて、各被写体ごとの画像ファイルの記録割り当て枚数を算出する割り当て枚数算出手段と、撮像手段により時系列で取得される画像データの画像内に含まれる被写体の表情を評価して表情評価値を算出する表情評価値算出手段と、表情評価値算出手段によって算出される複数の被写体の表情評価値のうち、所定の閾値以上であって、かつ最大の表情評価値を対象評価値として特定し、対象評価値が算出された被写体に対してピントおよび明るさを調整したベストショット画像を撮影するベストショット画像撮影手段と、各被写体ごとにベストショット画像の撮影枚数が記録割り当て枚数に到達したか否かを判断する判断手段と、判断手段でベストショット画像の撮影枚数が記録割り当て枚数に到達したと判断した被写体がいる場合には、その被写体を対象としたベストショット画像の撮影を停止する撮影可否判定手段とを備えることを特徴とする。
本発明では、ベストショット画像撮影手段は、撮影可否判定手段によってベストショット画像の撮影が停止された被写体を除いた被写体を対象として、表情評価値が所定の閾値以上であって、かつ最大の表情評価値を対象評価値として特定し、対象評価値が算出された被写体を対象としてベストショット画像を撮影するようにしてもよい。
記憶媒体内に被写体人数分のフォルダを作成するフォルダ作成手段と、ベストショット画像撮影手段で撮影されたベストショット画像の対象被写体を特定する被写体特定手段と、各被写体ごとにフォルダを対応付け、被写体特定手段による特定結果に基づいて、ベストショット画像撮影手段で撮影されたベストショット画像の画像ファイルを、各被写体ごとのフォルダに分類して記録する分類手段とをさらに備えるようにしてもよい。
撮影可否判定手段は、判断手段で前記ベストショット画像の撮影枚数が記録割り当て枚数に到達したと判断した被写体がいる場合に、表情評価値算出手段で算出されたその被写体の表情評価値が最高値であって、かつその被写体の撮影済みのベストショット画像の中に、表情評価値が最高値のときに撮影されたものがないときには、その被写体を対象としたベストショット画像の撮影を許可するようにしてもよい。
使用者によって撮像素子による画像データの取得の停止が指示されたときに、ベストショット画像が１枚も撮影されていない被写体がいる場合には、使用者に対してその旨を通知する通知手段をさらに備えるようにしてもよい。
割り当て枚数算出手段は、各被写体ごとの画像ファイルの記録割り当て枚数が均等になるように割り当て枚数を算出することが好ましい。
【発明の効果】
【０００６】
本発明によれば、被写体ごとの撮影画像枚数の差を低減することができる。
【発明を実施するための最良の形態】
【０００７】
図１は、本実施の形態におけるカメラ１００の一実施の形態の構成を示すブロック図である。カメラ１００は、操作部材１０１と、レンズ１０２と、撮像素子１０３と、制御装置１０４と、メモリカードスロット１０５と、モニタ１０６とを備えている。操作部材１０１は、使用者によって操作される種々の入力部材、例えば電源ボタン、レリーズボタン、ズームボタン、十字キー、決定ボタン、再生ボタン、削除ボタンなどを含んでいる。
【０００８】
レンズ１０２は、複数の光学レンズ群から構成されるが、図１では代表して１枚のレンズで表している。撮像素子１０３は、例えばＣＣＤやＣＭＯＳであり、レンズ１０２により結像した被写体像を撮像する。そして、撮像によって得られた画像データを制御装置１０４へ出力する。制御装置１０４は、撮像素子１０３から入力された画像データに基づいて、所定の形式の画像ファイルを生成して、メモリカードスロット１０５へ出力する。
【０００９】
メモリカードスロット１０５は、記憶媒体としてのメモリカードを挿入するためのスロットであり、制御装置１０４から出力された画像ファイルをメモリカードに書き込んで記録する。また、メモリカードスロット１０５は、制御装置１０４からの指示に基づいて、メモリカード内に記憶されている画像ファイルを読み込む。
【００１０】
モニタ１０６は、カメラ１００の背面に搭載された液晶モニタ（背面モニタ）であり、当該モニタ１０６には、メモリカードに記憶されている画像やカメラ１００を設定するための設定メニューなどが表示される。また、制御装置１０４は、撮像素子１０３から時系列で画像を取得してモニタ１０６に出力することによって、モニタ１０６にスルー画を表示する。
【００１１】
制御装置１０４は、ＣＰＵ、メモリ、およびその他の周辺回路により構成され、カメラ１００を制御する。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１２】
本実施の形態では、制御装置１０４は、撮像素子１０３から入力されるスルー画の各コマを対象として、公知の表情評価処理を実行し、被写体の表情評価値を算出する。そして、被写体の表情評価値が所定の閾値以上になったときに、その被写体の顔を対象としてＡＦ処理、およびＡＥ処理を実行して撮影を行って、画像データを取得し、画像ファイルを生成する。これによって、所定の閾値以上の表情評価値が算出された被写体を対象としてピントおよび明るさを調整し、その被写体のベストショット画像を撮影することができる。
【００１３】
なお、ベストショット画像の画像ファイルは、画像データを記録する本画像部と、付加情報を記録するための付加情報部とを有しており、付加情報部にはそのベストショット画像の撮影日時等の情報と共に、ベストショット画像を撮影したときの表情評価値が記録される。
【００１４】
なお、表情評価処理の算出方法は、例えば、特開２００４−４６５９１号公報によって開示されている方法を用いるものとして、ここでは詳細な説明を省略する。本実施の形態では、被写体の表情のうち笑顔を対象として表情評価値を算出するものとする。また、説明の簡略化のため、算出される表情評価値は０から１０までの整数値とし、表情評価値が０に近いほど被写体の笑顔の程度は低く、表情評価値が１０に近いほど被写体の笑顔の程度は高いものとする。また、本実施の形態では、被写体が複数いる場合を想定し、複数の被写体のうちのいずれか１人についての表情評価値が所定の閾値以上になったときに撮影処理を行なうものとする。
【００１５】
本実施の形態では、使用者はベストショット画像の撮影対象とする被写体の顔画像をあらかじめカメラ１００に登録しておく。制御装置１０４は、この顔画像を用いて顔認識処理を行うことによって顔認識を行い、ベストショット画像を撮影した被写体が誰であるかを特定し、後述するように、ベストショット画像の画像ファイルを各被写体用のフォルダに分類して記録する。なお、顔認識処理については、公知の処理であるため説明を省略する。
【００１６】
以下、制御装置１０４による処理を具体的に説明する。本実施の形態では、まず、制御装置１０４は、使用者によって操作部材１０１が操作されることにより、カメラ１００のモードが笑顔認識モードに設定されたことを検出すると、使用者に対して被写体の人数を入力するように促す。例えば、制御装置１０４はモニタ１０６に被写体の人数を入力するように促すためのメッセージと入力欄を表示して、使用者からの操作部材１０１による入力を受け付ける。
【００１７】
制御装置１０４は、使用者によって被写体の人数が入力されると、入力された人数分のフォルダをメモリカードスロット１０６に挿入されているメモリカード内に作成する。例えば、入力された被写体の人数が４人であって、上述したようにあらかじめＡさん、Ｂさん、Ｃさん、およびＤさんの４人の顔画像が登録されている場合には、制御装置１０４は、Ａさん用のフォルダ、Ｂさん用のフォルダ、Ｃさん用のフォルダ、およびＤさん用のフォルダの４つのフォルダを作成する。制御装置１０４は、後述する処理によって各被写体のベストショット画像を撮影した場合には、生成したベストショット画像の画像ファイルを各被写体用のフォルダに分類して記録する。
【００１８】
また、制御装置１０４は、メモリカードの空き容量と、設定値に基づいて決定される画像１枚当たりの記録データサイズ（画像ファイルサイズ）とに基づいて、メモリカード内への画像ファイルの記録可能枚数を算出する。そして、制御装置１０４は、メモリカード内への記録可能枚数を被写体の人数で割ることによって、１人当たりの記録割り当て枚数を算出する。例えば、入力された被写体の人数が４人であって、メモリカード内にあと１６枚記録可能な場合には、１人当たりの記録割り当て枚数は４枚となる。
【００１９】
制御装置１０４は、撮像素子１０３からのスルー画の入力が開始された後は、スルー画の各コマに対して表情評価値の算出処理を実行して、画像内に含まれる各被写体の表情評価値（笑顔の表情評価値）を算出する。そして、制御装置１０４は、スルー画内に含まれる被写体のうち、いずれかの被写体の表情評価値が所定の閾値以上、例えば６以上になったときに、その被写体を対象としてＡＦ処理、およびＡＥ処理を実行して撮影を行ってベストショット画像を撮影し、画像ファイルを生成する。このとき、複数の被写体の表情評価値が所定の閾値以上である場合には、表情評価値が最大の被写体を対象としてベストショット画像の撮影を行う。
【００２０】
さらに、制御装置１０４は、ベストショット画像の撮影対象の被写体を対象として、あらかじめ登録されている顔画像を用いた顔認識処理を実行し、その被写体が誰であるかを特定する。そして、制御装置１０４は、生成した画像ファイルを、メモリカード内の特定した被写体用のフォルダに記録する。
【００２１】
制御装置１０４は、使用者によって笑顔認識モードの終了が指示されるまでの間、上記処理を繰り返す。この場合、人物によって笑顔の表情評価値が高く算出される人と低く算出される人との差があることから、以下の問題が生じる。すなわち、笑顔の表情評価値が高く算出される傾向にある人物のベストショット画像が多く撮影され、笑顔の表情評価値が低く算出される傾向にある人物のベストショット画像はあまり撮影されなくなり、人によって撮影されるベストショット画像の枚数に差が生じてしまう。
【００２２】
本実施の形態では、この問題を解決するために、ある被写体のベストショット画像の枚数が、上記１人当たりの記録割り当て枚数に到達した場合には、その被写体以外の被写体のベストショット画像を優先して撮影するようにする。具体的には、制御装置１０４は、ある被写体のベストショット画像の枚数が、上記１人当たりの記録割り当て枚数に到達した後は、その被写体のベストショット画像の撮影を停止し、その被写体を除いた他の被写体を対象として表情評価値が所定の閾値以上となったか否かを判定して、ベストショット画像を撮影するようにする。これによって、複数の被写体がいる場合に、各被写体のベストショット画像の撮影枚数に差が生じないようにすることができる。
【００２３】
なお、この場合、既にある被写体のベストショット画像の枚数が、１人当たりの記録割り当て枚数に到達した後であっても、その被写体の表情評価値が最高値、すなわち１０である場合であって、その被写体の過去のベストショット画像の中に表情評価値が１０であるものがない場合には、その被写体のベストショット画像を撮影する。これによって、既に記録割り当て枚数に到達してしまった後に、最高の笑顔の画像（表情評価値が１０の画像）が取得できる機会があるにもかかわらず、その機会を逃してしまうことを防ぐことができる。
【００２４】
図２は、ベストショット画像の撮影対象被写体が上述したＡさん、Ｂさん、Ｃさん、およびＤさんの４名であって、メモリカードの記録可能枚数が１６枚（１人当たりの記録割り当て枚数が４枚）である場合の、各被写体の表情評価値の算出結果とベストショット画像の記録先フォルダとを具体的に示した図である。なお、図２に示す例では、Ａさん用のフォルダのフォルダ名を「Ａ」、Ｂさん用のフォルダのフォルダ名を「Ｂ」、Ｃさん用のフォルダのフォルダ名を「Ｃ」、Ｄさん用のフォルダのフォルダ名を「Ｄ」としている。
【００２５】
この図２に示す例においては、Ａさんの表情評価値が９になった時点で１枚目のベストショット画像が撮影されている。すなわち、Ａさんの表情評価値が所定の閾値である６以上となったため、Ａさんの顔を対象としてＡＦ処理、およびＡＥ処理を実行して撮影を行って、Ａさんのベストショット画像が撮影されている。そして、Ａさんのベストショット画像の画像ファイル（ファイル名＝ＤＳＣ１００１．ＪＰＥＧ）は、Ａさん用のフォルダ「Ａ」に記録されている。
【００２６】
２枚目のベストショット画像もまた、Ａさんの表情評価値が所定の閾値である６以上となったことにより撮影されて、画像ファイル（ファイル名＝ＤＳＣ１００２．ＪＰＥＧ）は、Ａさん用のフォルダ「Ａ」に記録されている。なお、このときはＢさんの表情評価値も６以上であるが、上述したように、このように複数人の表情評価値が閾値以上となった場合には、表情評価値が最大の被写体のベストショット画像が撮影される。
【００２７】
３枚目のベストショット画像は、表情評価値が閾値以上であり、かつ最大のＣさんを対象として撮影されて、Ｃさん用のフォルダ「Ｃ」に記録されている。４枚目のベストショット画像は、表情評価値が閾値以上であり、かつ最大のＡさんを対象として撮影されて、Ａさん用のフォルダ「Ａ」に記録されている。５枚目のベストショット画像は、表情評価値が閾値以上であり、かつ最大のＢさんを対象として撮影されて、Ｂさん用のフォルダ「Ｂ」に記録されている。
【００２８】
６枚目のベストショット画像は、表情評価値が閾値以上であり、かつ最大のＡさんを対象として撮影されて、Ａさん用のフォルダ「Ａ」に記録されている。この６枚目のベストショット画像を撮影したことにより、Ａさんのベストショット画像は、１人当たりの記録割り当て枚数である４枚（１枚目、２枚目、４枚目、６枚目）に到達したことになる。７枚目のベストショット画像は、表情評価値が閾値以上であり、かつ最大のＣさんを対象として撮影されて、Ｃさん用のフォルダ「Ｃ」に記録されている。
【００２９】
８枚目のベストショット画像は、表情評価値が閾値以上である被写体のうち、既に１人当たりの記録割り当て枚数に到達しているＡさんを除いた被写体（Ｂさん、Ｃさん、Ｄさん）の中で表情評価値が最大のＣさんを対象として撮影されて、Ｃさん用のフォルダ「Ｃ」に記録されている。９枚目のベストショット画像は、表情評価値が閾値以上である被写体のうち、既に１人当たりの記録割り当て枚数に到達しているＡさんを除いた被写体（ＣさんとＤさん）の中で表情評価値が最大のＤさんを対象として撮影されて、Ｄさん用のフォルダ「Ｄ」に記録されている。
【００３０】
１０枚目のベストショット画像は、既に１人当たりの記録割り当て枚数に到達しているにもかかわらず、表情評価値が最大のＡさんを対象として撮影されて、Ａさん用のフォルダ「Ａ」に記録されている。これは、上述したように、Ａさんの表情評価値が最高値、すなわち１０であり、かつ、Ａさんの過去のベストショット画像の中に表情評価値が１０のときに撮影されたものがないためである。
【００３１】
１１枚目のベストショット画像は、表情評価値が閾値以上である被写体のうち、既に１人当たりの記録割り当て枚数に到達しているＡさんを除いた被写体（Ｂさん、Ｃさん、Ｄさん）の中で表情評価値が最大のＣさんを対象として撮影されて、Ｃさん用のフォルダ「Ｃ」に記録されている。この１１枚目のベストショット画像を撮影したことにより、Ｃさんのベストショット画像は、１人当たりの記録割り当て枚数である４枚（３枚目、７枚目、８枚目、１１枚目）に到達したことになる。なお、この１１枚目のベストショット画像を撮影したときには、Ａさんの表情評価値は最高値の１０であるが、Ａさんは表情評価値が１０のときのベストショット画像を１０枚目で既に撮影済みであるため、ここでは除外されている。
【００３２】
１２枚目のベストショット画像は、表情評価値が閾値以上である被写体のうち、既に１人当たりの記録割り当て枚数に到達しているＡさんとＣさんを除いたＢさんを対象として撮影されて、Ｂさん用のフォルダ「Ｂ」に記録されている。１３枚目のベストショット画像は、既に１人当たりの記録割り当て枚数に到達しているにもかかわらず、表情評価値が最大のＣさんを対象として撮影されて、Ｃさん用のフォルダ「Ｃ」に記録されている。これは、上述したように、Ｃさんの表情評価値が最高値、すなわち１０であり、かつ、Ｃさんの過去のベストショット画像の中に表情評価値が１０のときに撮影されたものがないためである。
【００３３】
１４枚目および１５枚目のベストショット画像は、表情評価値が閾値以上である被写体のうち、既に１人当たりの記録割り当て枚数に到達しているＡさんとＣさんを除いたＢさんを対象として撮影されて、Ｂさん用のフォルダ「Ｂ」に記録されている。１５枚目のベストショット画像を撮影したことにより、Ｂさんのベストショット画像は、１人当たりの記録割り当て枚数である４枚（５枚目、１２枚目、１４枚目、１５枚目）に到達したことになる。１６枚目のベストショット画像は、表情評価値が閾値以上である被写体のうち、既に１人当たりの記録割り当て枚数に到達しているＡさん、Ｂさん、およびＣさんを除いたＤさんを対象として撮影されて、Ｄさん用のフォルダ「Ｄ」に記録されている。
【００３４】
なお、図２に示す例では、メモリカードの記録可能枚数が１６枚である場合に、笑顔認識モードで１６枚のベストショット画像を撮影しているため、Ａさん〜Ｄさんの各被写体のベストショット画像を最低１枚は撮影することができているが、使用者が途中で笑顔認識モードを終了した場合には、いずれかの被写体のベストショット画像が撮影されていない場合も考えられる。例えば、図２において、８枚目のベストショット画像を撮影した時点で使用者が笑顔認識モードを終了した場合には、Ｄさんのベストショット画像は１枚も撮影されていない状態となる。
【００３５】
このような場合には、制御装置１０４は、モニタ１０６にＤさんのベストショット画像が撮影されていない旨の警告メッセージを表示して、使用者に通知する。これによって、使用者は、笑顔認識モードを終了した時点で、ベストショット画像が撮影されていない被写体がいることを認識することができる。
【００３６】
使用者は、このように笑顔認識モードで撮影されたベストショット画像をモニタ１０６に表示して閲覧することができる。例えば、使用者は、被写体ごとのフォルダの中から画像を表示したいフォルダを選択して、表示を指示することによって、フォルダ内のベストショット画像のサムネイル画像を一覧表示したり、フォルダ内のベストショット画像をスライドショー表示したりすることができる。
【００３７】
このとき、制御装置１０４は、各画像ファイルの付加情報部からそれぞれのベストショット画像を撮影したときの表情評価値を取得し、表情評価値が高い順にサムネイル画像を一覧表示したり、表情評価値が高い順にスライドショー表示する。これによって、使用者は、より笑顔の程度が高い画像から順番に、ベストショット画像を閲覧することが可能となる。
【００３８】
図３は、本実施の形態におけるカメラ１００の処理を示すフローチャートである。図３に示す処理は、使用者によって操作部材１０１が操作されてカメラ１００のモードが笑顔認識モードに設定されると起動するプログラムとして、制御装置１０４により実行される。
【００３９】
ステップＳ１０において、制御装置１０４は、使用者による操作部材１０１操作によって、被写体の人数が入力されたか否かを判断する。肯定判断した場合には、ステップＳ２０へ進み、制御装置１０４は、入力された人数分のフォルダをメモリカードスロット１０６に挿入されているメモリカード内に作成する。その後、ステップＳ３０へ進む。
【００４０】
ステップＳ３０では、制御装置１０４は、上述したように、メモリカードの空き容量と、画像１枚当たりの画像ファイルサイズとに基づいて、メモリカード内への画像ファイルの記録可能枚数を算出し、これを被写体の人数で割ることによって、１人当たりの記録割り当て枚数を算出する。その後、ステップＳ４０へ進み、制御装置１０４は、撮像素子１０３からのスルー画の取得を開始（スルー画の撮影を開始）して、ステップＳ５０へ進む。
【００４１】
ステップＳ５０では、制御装置１０４は、上述したように、スルー画の各コマに対して表情評価値の算出処理を実行して、画像内に含まれる各被写体の笑顔の表情評価値を算出して、ステップＳ６０へ進む。ステップＳ６０では、制御装置１０４は、各被写体ごとに算出した表情評価値の中に所定の閾値以上の表情評価値があるか否かを判断する。肯定判断した場合には、ステップＳ７０へ進み、制御装置１０４は、表情評価値が閾値以上かつ最大の被写体のベストショット画像の撮影済み枚数が、ステップＳ３０で算出した１人当たりの記録割り当て枚数以上であるか否かを判断する。
【００４２】
否定判断した場合には、ステップＳ８０へ進み、制御装置１０４は、表情評価値が閾値以上かつ最大の被写体のベストショット画像を撮影して、当該被写体用のフォルダ内にベストショット画像の画像ファイルを記録する。その後、後述するステップＳ１１０へ進む。これに対して、ステップＳ７０で肯定判断した場合には、ステップＳ９０へ進む。ステップＳ９０では、制御装置１０４は、表情評価値が閾値以上かつ最大の被写体の表情評価値が１０であって、かつその被写体の過去のベストショット画像に表情評価値が１０のときに撮影されたものがあるか否かを判断する。
【００４３】
否定判断した場合には、ステップＳ８０へ進み、制御装置１０４は、表情評価値が閾値以上かつ最大の被写体のベストショット画像を撮影して、当該被写体用のフォルダ内にベストショット画像の画像ファイルを記録する。これに対して、ステップＳ９０で肯定判断した場合には、ステップＳ１００へ進む。ステップＳ１００では、制御装置１０４は、ベストショット画像の撮影済み枚数が１人当たりの記録割り当て枚数未満の被写体のうち、表情評価値が閾値以上かつ最大の被写体のベストショット画像を撮影して、当該被写体用のフォルダ内にベストショット画像の画像ファイルを記録する。その後、ステップＳ１１０へ進む。
【００４４】
ステップＳ１１０では、制御装置１０４は、使用者によって操作部材１０１が操作されることによって、笑顔認識モードの終了が指示されたか否かを判断する。肯定判断した場合には、ステップＳ１３０へ進む。ステップＳ１３０では、制御装置１０４は、ベストショット画像が１枚も撮影されていない被写体がいるか否かを判断する。肯定判断した場合には、ステップＳ１４０へ進み、モニタ１０６にその旨を示すメッセージを表示することによって使用者に通知した後、後述するステップＳ１５０へ進む。これに対して、ステップＳ１３０で否定判断した場合には、後述するステップＳ１５０へ進む。
【００４５】
一方、ステップＳ１１０で否定判断した場合には、ステップＳ１２０へ進み、制御装置１０４は、ベストショット画像の撮影枚数がメモリカードの記録可能枚数に到達したことにより、メモリカードの空き容量がなくなったか否かを判断する。否定判断した場合には、ステップＳ５０へ戻って処理を繰り返す。これに対して、肯定判断した場合には、ステップＳ１５０へ進む。ステップＳ１５０では、制御装置１０４は、撮像素子１０３からのスルー画の取得を終了（スルー画の撮影を終了）して、処理を終了する。
【００４６】
以上説明した本実施の形態によれば、以下のような作用効果を得ることができる。
（１）制御装置１０４は、使用者による被写体の人数の入力を受け付けて被写体人数を特定し、記憶媒体の空き容量と被写体人数とに基づいて、各被写体ごとの画像ファイルの記録割り当て枚数を算出する。そして、制御装置１０４は、撮像素子１０３から時系列で入力される画像データ（スルー画）の画像内に含まれる被写体の表情を評価して表情評価値を算出し、複数の被写体の表情評価値のうち、所定の閾値以上であって、かつ最大の表情評価値が算出された被写体に対してピントおよび明るさを調整したベストショット画像を撮影するようにした。そして、制御装置１０４は、各被写体ごとにベストショット画像の撮影枚数が１人当たりの記録割り当て枚数に到達したか否かを判断し、到達したと判断した被写体がいる場合には、その被写体を対象としたベストショット画像の撮影を停止するようにした。これによって、ベストショット画像が撮影される被写体が特定の被写体に偏ることを防止することができ、被写体間での記録される画像枚数の差を低減することができる。
【００４７】
（２）制御装置１０４は、ベストショット画像の撮影を停止した被写体を除いた被写体を対象として、表情評価値が所定の閾値以上であって、かつ最大の表情評価値が算出された被写体を対象としてベストショット画像を撮影するようにした。これによって、ベストショット画像の撮影枚数が１人当たりの記録割り当て枚数に到達していない被写体を対象として、ベストショット画像の撮影条件を満たす被写体のベストショット画像を撮影することができる。
【００４８】
（３）制御装置１０４は、メモリカード内に被写体人数分のフォルダを作成し、各被写体ごとにフォルダを対応付けるようにした。そして、制御装置１０４は、ベストショット画像を撮影した被写体を特定し、その特定結果に基づいて、ベストショット画像の画像ファイルを、各被写体ごとのフォルダに分類して記録するようにした。これによって、各被写体ごとのベストショット画像を自動的にフォルダ分けすることができる。
【００４９】
（４）制御装置１０４は、ベストショット画像の撮影枚数が１人当たりの割り当て枚数に到達した被写体がいる場合に、その被写体の表情評価値が最高値であって、かつその被写体の撮影済みのベストショット画像の中に、表情評価値が最高値のときに撮影されたものがないときには、その被写体を対象としたベストショット画像を撮影するようにした。これによって、既に記録割り当て枚数に到達してしまった後に、その被写体の最高の表情の画像が取得できる機会があるにもかかわらず、その機会を逃してしまうことを防ぐことができる。
【００５０】
（５）制御装置１０４は、使用者によって笑顔認識モードの終了が指示されたときに、ベストショット画像が１枚も撮影されていない被写体がいる場合には、使用者に対してその旨を通知するようにした。これによって、使用者は、笑顔認識モードを終了した時点で、ベストショット画像が撮影されていない被写体がいることを認識することができる。
【００５１】
（６）制御装置１０４は、各被写体ごとの画像ファイルの記録割り当て枚数が均等になるように割り当て枚数を算出するようにした。これによって、各被写体ごとに撮影されるベストショット画像の枚数の均等化を図ることができる。
【００５２】
―変形例―
なお、上述した実施の形態のカメラは、以下のように変形することもできる。
（１）上述した実施の形態では、制御装置１０４は、被写体の表情のうち笑顔を対象として表情評価値を算出するようにし、被写体の笑顔の程度が高いときにベストショット画像を撮影する例について説明した。しかしながら、制御装置１０４は、被写体の他の表情、例えば、泣き顔や怒り顔などを対象として表情評価値を算出するようにし、被写体の泣き顔の程度や怒り顔の程度が高いときにベストショット画像を撮影するようにしてもよい。
【００５３】
（２）上述した実施の形態では、あらかじめ被写体の顔画像を登録しておくことによって、顔認識処理により被写体を特定し、生成したベストショット画像の画像ファイルを各被写体用のフォルダに分類して記録する例について説明した。しかしながら、あらかじめ顔画像登録されていない被写体のベストショット画像を撮影したとき、すなわちベストショット画像を撮影した被写体が誰であるかを特定することができない場合には、そのときのベストショット画像の画像ファイルをいずれの被写体にも対応付けられていないフォルダ、例えば「その他」フォルダに記録するようにしてもよい。
【００５４】
なお、本発明の特徴的な機能を損なわない限り、本発明は、上述した実施の形態における構成に何ら限定されない。また、上述の実施の形態と複数の変形例を組み合わせた構成としてもよい。
【図面の簡単な説明】
【００５５】
【図１】カメラ１００の一実施の形態の構成を示すブロック図である。
【図２】各被写体の表情評価値の算出結果とベストショットの記録先フォルダとを具体的に示した図である。
【図３】カメラ１００の処理を示すフローチャート図である。
【符号の説明】
【００５６】
１００  カメラ、１０１  操作部材、１０２  レンズ、１０３  撮像素子、１０４  制御装置、１０５  メモリカードスロット、１０６  モニタ
【図１】
2009260868.tif 000003
【図２】
2009260868.tif 000004
【図３】
2009260868.tif 000005